(57)【要約】【課題】有効な電圧を有する電池が無い機器で外部電力の供給が切断した場合でも異常終了を確実に発生させないようにすることが可能になる電力供給システム、電子機器、及び電力供給方法を提供する。【解決手段】第１の給電部１１及び第２の給電部２１のうち一方を選択する選択部１３と、第１の給電部１１の出力の電圧と第１の閾値とを比較する第１の電圧判定部１４１と、第２の給電部２１の出力の電圧と第２の閾値とを比較する第２の電圧判定部１４２と、外部電力を受け付けた第１の給電部１１を選択部１３に選択させ且つ有効な電池電圧を有する第１の電池１２が無い第１の条件では、第１の閾値を第２の閾値よりも高く設定し、外部電力を受け付けた第２の給電部２１を選択部１３に選択させ且つ有効な電池電圧を有する第２の電池２２が無い第２の条件では、第２の閾値を第１の閾値よりも高く設定する管理部１５とを備えた。【選択図】図１
2019180237.tif 000002
【特許請求の範囲】
【請求項１】
電子機器と前記電子機器に接続自在な接続機器とを含む電力供給システムであって、
前記電子機器に設けられ、前記電子機器内の第１の電池からの内部電力を受け付け可能且つ前記第１の電池の有効な電池電圧よりも高い電圧に対応する外部電源からの外部電力を受け付け可能であり、前記第１の電池からの内部電力よりも前記外部電力を優先して出力する第１の給電部と、
前記接続機器に設けられ、前記接続機器内の第２の電池からの内部電力を受け付け可能且つ前記第２の電池の有効な電池電圧よりも高い電圧に対応する前記外部電源からの外部電力を受け付け可能であり、前記第２の電池からの内部電力よりも前記外部電力を優先して出力する第２の給電部と、
前記第１の給電部及び前記第２の給電部のうち一方を前記電子機器の使用電力の供給元として選択する選択部と、
前記第１の給電部の出力の電圧と第１の閾値とを比較して、前記第１の給電部の出力が有効であるか無効であるかを判定する第１の電圧判定部と、
前記第２の給電部の出力の電圧と第２の閾値とを比較して、前記第２の給電部の出力が有効であるか無効であるかを判定する第２の電圧判定部と、
前記第１の給電部及び前記第２の給電部のうち前記外部電力を受け付けた給電部を優先して前記選択部に選択させ且つ前記第１の閾値及び前記第２の閾値を設定する管理部であり、前記外部電力を受け付けた前記第１の給電部を前記選択部に選択させ且つ前記有効な電池電圧を有する前記第１の電池が無い第１の条件では、前記第１の閾値を前記第２の閾値よりも高く設定し、前記外部電力を受け付けた前記第２の給電部を前記選択部に選択させ且つ前記有効な電池電圧を有する前記第２の電池が無い第２の条件では、前記第２の閾値を前記第１の閾値よりも高く設定する前記管理部と、を備え、
前記選択部は、前記第１の給電部を選択した状態で前記第１の電圧判定部により前記第１の給電部の出力が無効であると判定され且つ前記第２の電圧判定部により前記第２の給電部の出力が有効であると判定された場合には前記第２の給電部に選択先を切り替え、前記第２の給電部を選択した状態で前記第２の電圧判定部により前記第２の給電部の出力が無効であると判定され且つ前記第１の電圧判定部により前記第１の給電部の出力が有効であると判定された場合には前記第１の給電部に選択先を切り替える、電力供給システム。
【請求項２】
前記選択部は、前記第１の条件で前記第１の給電部から前記第２の給電部に選択先を切り替える際に、前記第１の給電部の出力の電圧が前記第２の閾値に低下するまでに前記第２の給電部への切り替えを完了し、前記第２の条件で前記第２の給電部から前記第１の給電部に選択先を切り替える際に、前記第２の給電部の出力の電圧が前記第１の閾値に低下するまでに前記第１の給電部への切り替えを完了する、
請求項１に記載の電力供給システム。
【請求項３】
前記管理部は、前記第１の閾値及び前記第２の閾値のうち高い方の閾値として、前記電池の有効な電圧よりも高く前記外部電源に対応する電圧よりも低い電圧値を設定する、
請求項１または２に記載の電力供給システム。
【請求項４】
前記管理部は、前記第１の閾値及び前記第２の閾値のうち低い方の閾値として、前記電池の有効な電圧以下である電圧値を設定する、
請求項３に記載の電力供給システム。
【請求項５】
前記第１の電圧判定部は、前記第１の給電部の出力の電圧と前記第１の閾値とをアナログで比較し、
前記第２の電圧判定部は、前記第２の給電部の出力の電圧と前記第２の閾値とをアナログで比較する、
請求項１から４のうちいずれか一項に記載の電力供給システム。
【請求項６】
前記第１の給電部に接続された外部電源及び前記第２の給電部に接続された外部電源のうち一方の外部電源から他方の外部電源への電流の流入を阻止する逆流防止回路を備える、
請求項１から５のうちいずれか一項に記載の電力供給システム。
【請求項７】
前記第１の給電部の出力及び前記第２の給電部の出力を受け付け、前記管理部に電力を供給する電源オア回路を備える、
請求項１から６のうちいずれか一項に記載の電力供給システム。
【請求項８】
接続機器を接続自在な電子機器であって、
前記電子機器に設けられた電池からの内部電力を受け付け可能且つ前記電池の有効な電池電圧よりも高い電圧に対応する外部電源からの外部電力を受け付け可能であり、前記電池からの内部電力よりも前記外部電力を優先して出力する給電部と、
前記接続機器からの電力が入力される接続機器電力入力端子と、
前記給電部及び前記接続機器のうち一方を前記電子機器の使用電力の供給元として選択する選択部と、
前記給電部の出力の電圧と閾値とを比較して、前記給電部の出力が有効であるか無効であるかを判定する電圧判定部と、
前記電池の有効な電圧以下である電圧値を前記閾値として設定しておき、前記外部電力を受け付けた前記給電部を前記選択部に選択させ且つ前記有効な電池電圧を有する前記電池が無い条件では、前記電池の有効な電圧よりも高く前記外部電源に対応する電圧よりも低い電圧値を前記閾値として設定する管理部と、を備え、
前記選択部は、前記給電部を選択した状態で前記電圧判定部により前記給電部の出力が無効であると判定された場合には、前記接続機器に選択先を切り替える、電子機器。
【請求項９】
接続機器を接続自在な電子機器であって、
第１の電池からの内部電力を受け付け可能且つ前記第１の電池の有効な電池電圧よりも高い電圧である外部電力を受け付け可能であり、前記第１の電池からの内部電力よりも前記外部電力を優先して出力する第１の給電部と、
前記接続機器に設けられた第２の給電部であって第２の電池からの内部電力を受け付け可能且つ前記第２の電池の有効な電池電圧よりも高い電圧である前記外部電力を受け付け可能であり、前記第２の電池からの内部電力よりも前記外部電力を優先して出力する前記第２の給電部と電気的に接続された接続機器電力入力端子と、
前記第１の給電部及び前記第２の給電部のうち一方を選択して前記電子機器の使用電力の供給元とする選択部と、
前記第１の給電部の出力の電圧と第１の閾値とを比較して、前記第１の給電部の出力が有効であるか無効であるかを判定する第１の電圧判定部と、
前記第２の給電部の出力の電圧と第２の閾値とを比較して、前記第２の給電部の出力が有効であるか無効であるかを判定する第２の電圧判定部と、
前記第１の給電部及び前記第２の給電部のうち前記外部電力を受け付けた給電部を優先して前記選択部に選択させ且つ前記第１の閾値及び前記第２の閾値を設定する管理部であり、前記外部電力を受け付けた前記第１の給電部を前記選択部に選択させ且つ前記有効な電池電圧を有する前記第１の電池が無い第１の条件では、前記第１の閾値を前記第２の閾値よりも高く設定し、前記外部電力を受け付けた前記第２の給電部を前記選択部に選択させ且つ前記有効な電池電圧を有する前記第２の電池が無い第２の条件では、前記第２の閾値を前記第１の閾値よりも高く設定する前記管理部と、を備え、
前記選択部は、前記第１の給電部を選択した状態で前記第１の電圧判定部により前記第１の給電部の出力が無効であると判定され且つ前記第２の電圧判定部により前記第２の給電部の出力が有効であると判定された場合には前記第２の給電部に選択先を切り替え、前記第２の給電部を選択した状態で前記第２の電圧判定部により前記第２の給電部の出力が無効であると判定され且つ前記第１の電圧判定部により前記第１の給電部の出力が有効であると判定された場合には前記第１の給電部に選択先を切り替える、電子機器。
【請求項１０】
電子機器に設けられ、第１の電池からの内部電力を受け付け可能且つ前記第１の電池の有効な電池電圧よりも高い電圧である外部電力を受け付け可能であり、前記第１の電池からの内部電力よりも前記外部電力を優先して出力する第１の給電部と、前記電子機器に接続自在な接続機器に設けられ、第２の電池からの内部電力を受け付け可能且つ前記第２の電池の有効な電池電圧よりも高い電圧である前記外部電力を受け付け可能であり、前記第２の電池からの内部電力よりも前記外部電力を優先して出力する第２の給電部と、前記第１の給電部及び前記第２の給電部のうち一方を選択して前記電子機器の使用電力の供給元とする選択部と、前記第１の給電部の出力の電圧と第１の閾値とを比較して、前記第１の給電部の出力が有効であるか無効であるかを判定する第１の電圧判定部と、前記第２の給電部の出力の電圧と第２の閾値とを比較して、前記第２の給電部の出力が有効であるか無効であるかを判定する第２の電圧判定部とを用いて、前記電子機器に電力を供給する電力供給方法であって、
前記第１の給電部及び前記第２の給電部のうち前記外部電力を受け付けた給電部を優先して前記選択部に選択させ、
前記外部電力を受け付けた前記第１の給電部を前記選択部に選択させ且つ前記有効な電池電圧を有する前記第１の電池が無い第１の条件では、前記第１の閾値を前記第２の閾値よりも高く設定し、
前記外部電力を受け付けた前記第２の給電部を前記選択部に選択させ且つ前記有効な電池電圧を有する前記第２の電池が無い第２の条件では、前記第２の閾値を前記第１の閾値よりも高く設定し、
前記選択部により前記第１の給電部が選択された状態で前記第１の電圧判定部により前記第１の給電部の出力が無効であると判定され且つ前記第２の電圧判定部により前記第２の給電部の出力が有効であると判定された場合には、前記選択部により前記第２の給電部に選択先を切り替え、
前記選択部により前記第２の給電部が選択された状態で前記第２の電圧判定部により前記第２の給電部の出力が無効であると判定され且つ前記第１の電圧判定部により前記第１の給電部の出力が有効であると判定された場合には、前記選択部により前記第１の給電部に選択先を切り替える、電力供給方法。
【発明の詳細な説明】
【技術分野】
【０００１】
本発明は、有効な電圧を有する電池が無い機器で外部電力の供給が切断した場合でも異常終了を確実に発生させないようにすることが可能になる電力供給システム、電子機器、及び電力供給方法に関する。
【背景技術】
【０００２】
従来、電子機器の内部の電池からの電力よりも電子機器の外部のＡＣ（alternating current）アダプタからの電力を優先して使用する技術が知られている。
【０００３】
特許文献１には、データ通信ラインと電源供給ラインとを有するケーブルで二つの電子機器を接続して、データ通信ラインを介した相手の電子機器との通信で相手の電子機器の電源状況を判断し、且つ自機の電源状況についても判断し、一方の電子機器のみにＡＣアダプタが接続されている場合には、その一方の電子機器から他方の電子機器に対し電源供給ラインを介してＡＣアダプタからの電力を供給する構成が、開示されている。
【０００４】
特許文献２には、運用系の第１の電池及び待機系の第２の電池を有し、ＡＤ（analog to digital）コンバータを通してデジタル信号に変換された第１の電池の電圧と、予め記憶した一定の閾値とを比較し、第１の電池の電圧が閾値よりも低下したときに第１の電池から第２の電池に電力の供給元を切り替える構成が、開示されている。
【先行技術文献】
【特許文献】
【０００５】
【特許文献１】特開２００３−２９８８５号公報
【特許文献２】特開２００２−１９９６００号公報
【発明の概要】
【発明が解決しようとする課題】
【０００６】
電子機器とその電子機器に接続自在な接続機器のうち有効な電圧を有する電池が無い機器で外部電力の供給が切断した場合、その機器が異常終了してしまう可能性がある。
【０００７】
特許文献１に記載された技術を用いても、有効な電圧を有する電池が無い一方の電子機器からＡＣアダプタのケーブルが抜かれた場合、ＡＣアダプタからの電力供給が瞬時に切断してしまうため、他方の電子機器内の電池の電力への電力供給の切り替えが遅いと、異常終了が発生してしまう可能性がある。
【０００８】
特許文献２は、運用系の第１の電池から待機系の第２の電池に切り替える構成を開示しているが、ＡＣアダプタのような外部電源からの電力供給が切断した場合に機器を異常終了させない構成について開示がない。仮に特許文献２に記載された技術を外部電力を用いる電子機器に採用した場合、外部電力供給の切断から切断検出及び電力供給の切替を完了するまでに時間がかかると、機器の異常終了を防止できない可能性がある。
【０００９】
本発明はこのような事情に鑑みてなされたもので、有効な電圧を有する電池が無い機器で外部電力の供給が切断した場合でも異常終了を確実に発生させないようにすることが可能になる電力供給システム、電子機器、及び電力供給方法を提供することを目的とする。
【課題を解決するための手段】
【００１０】
上述した目的を達成するため、本発明の第１の態様に係る電力供給システムは、電子機器と電子機器に接続自在な接続機器とを含む電力供給システムであって、電子機器に設けられ、電子機器内の第１の電池からの内部電力を受け付け可能且つ第１の電池の有効な電池電圧よりも高い電圧に対応する外部電源からの外部電力を受け付け可能であり、第１の電池からの内部電力よりも外部電力を優先して出力する第１の給電部と、接続機器に設けられ、接続機器内の第２の電池からの内部電力を受け付け可能且つ第２の電池の有効な電池電圧よりも高い電圧に対応する外部電源からの外部電力を受け付け可能であり、第２の電池からの内部電力よりも外部電力を優先して出力する第２の給電部と、第１の給電部及び第２の給電部のうち一方を電子機器の使用電力の供給元として選択する選択部と、第１の給電部の出力の電圧と第１の閾値とを比較して、第１の給電部の出力が有効であるか無効であるかを判定する第１の電圧判定部と、第２の給電部の出力の電圧と第２の閾値とを比較して、第２の給電部の出力が有効であるか無効であるかを判定する第２の電圧判定部と、第１の給電部及び第２の給電部のうち外部電力を受け付けた給電部を優先して選択部に選択させ且つ第１の閾値及び第２の閾値を設定する管理部であり、外部電力を受け付けた第１の給電部を選択部に選択させ且つ有効な電池電圧を有する第１の電池が無い第１の条件では、第１の閾値を第２の閾値よりも高く設定し、外部電力を受け付けた第２の給電部を選択部に選択させ且つ有効な電池電圧を有する第２の電池が無い第２の条件では、第２の閾値を第１の閾値よりも高く設定する管理部と、を備え、選択部は、第１の給電部を選択した状態で第１の電圧判定部により第１の給電部の出力が無効であると判定され且つ第２の電圧判定部により第２の給電部の出力が有効であると判定された場合には第２の給電部に選択先を切り替え、第２の給電部を選択した状態で第２の電圧判定部により第２の給電部の出力が無効であると判定され且つ第１の電圧判定部により第１の給電部の出力が有効であると判定された場合には第１の給電部に選択先を切り替える。
【００１１】
本態様によれば、有効な電圧を有する電池が無い機器で外部電力の供給が瞬断した場合でも異常終了を確実に発生させないようにすることが可能になる。
【００１２】
本発明の第２の態様に係る電力供給システムでは、選択部は、第１の条件で第１の給電部から第２の給電部に選択先を切り替える際に、第１の給電部の出力の電圧が第２の閾値に低下するまでに第２の給電部への切り替えを完了し、第２の条件で第２の給電部から第１の給電部に選択先を切り替える際に、第２の給電部の出力の電圧が第１の閾値に低下するまでに第１の給電部への切り替えを完了する。
【００１３】
本発明の第３の態様に係る電力供給システムでは、管理部は、第１の閾値及び第２の閾値のうち高い方の閾値として、電池の有効な電圧よりも高く外部電源に対応する電圧よりも低い電圧値を設定する。
【００１４】
本発明の第４の態様に係る電力供給システムでは、管理部は、第１の閾値及び第２の閾値のうち低い方の閾値として、電池の有効な電圧以下である電圧値を設定する。
【００１５】
本発明の第５の態様に係る電力供給システムでは、第１の電圧判定部は、第１の給電部の出力の電圧と第１の閾値とをアナログで比較し、第２の電圧判定部は、第２の給電部の出力の電圧と第２の閾値とをアナログで比較する。
【００１６】
本発明の第６の態様に係る電力供給システムでは、第１の給電部に接続された外部電源及び第２の給電部に接続された外部電源のうち一方の外部電源から他方の外部電源への電流の流入を阻止する逆流防止回路を備える。
【００１７】
本発明の第７の態様に係る電力供給システムでは、第１の給電部の出力及び第２の給電部の出力を受け付け、管理部に電力を供給する電源オア回路を備える。
【００１８】
本発明の第８の態様に係る電子機器は、接続機器を接続自在な電子機器であって、電子機器に設けられた電池からの内部電力を受け付け可能且つ電池の有効な電池電圧よりも高い電圧に対応する外部電源からの外部電力を受け付け可能であり、電池からの内部電力よりも外部電力を優先して出力する給電部と、接続機器からの電力が入力される接続機器電力入力端子と、給電部及び接続機器のうち一方を電子機器の使用電力の供給元として選択する選択部と、給電部の出力の電圧と閾値とを比較して、給電部の出力が有効であるか無効であるかを判定する電圧判定部と、電池の有効な電圧以下である電圧値を閾値として設定しておき、外部電力を受け付けた給電部を選択部に選択させ且つ有効な電池電圧を有する電池が無い条件では、電池の有効な電圧よりも高く外部電源に対応する電圧よりも低い電圧値を閾値として設定する管理部と、を備え、選択部は、給電部を選択した状態で電圧判定部により給電部の出力が無効であると判定された場合には、接続機器に選択先を切り替える。
【００１９】
本発明の第９の態様に係る電子機器は、接続機器を接続自在であって、第１の電池からの内部電力を受け付け可能且つ第１の電池の有効な電池電圧よりも高い電圧である外部電力を受け付け可能であり、第１の電池からの内部電力よりも外部電力を優先して出力する第１の給電部と、接続機器に設けられた第２の給電部であって第２の電池からの内部電力を受け付け可能且つ第２の電池の有効な電池電圧よりも高い電圧である外部電力を受け付け可能であり、第２の電池からの内部電力よりも外部電力を優先して出力する第２の給電部と電気的に接続された接続機器電力入力端子と、第１の給電部及び第２の給電部のうち一方を選択して電子機器の使用電力の供給元とする選択部と、第１の給電部の出力の電圧と第１の閾値とを比較して、第１の給電部の出力が有効であるか無効であるかを判定する第１の電圧判定部と、第２の給電部の出力の電圧と第２の閾値とを比較して、第２の給電部の出力が有効であるか無効であるかを判定する第２の電圧判定部と、第１の給電部及び第２の給電部のうち外部電力を受け付けた給電部を優先して選択部に選択させ且つ第１の閾値及び第２の閾値を設定する管理部であり、外部電力を受け付けた第１の給電部を選択部に選択させ且つ有効な電池電圧を有する第１の電池が無い第１の条件では、第１の閾値を第２の閾値よりも高く設定し、外部電力を受け付けた第２の給電部を選択部に選択させ且つ有効な電池電圧を有する第２の電池が無い第２の条件では、第２の閾値を第１の閾値よりも高く設定する管理部と、を備え、選択部は、第１の給電部を選択した状態で第１の電圧判定部により第１の給電部の出力が無効であると判定され且つ第２の電圧判定部により第２の給電部の出力が有効であると判定された場合には第２の給電部に選択先を切り替え、第２の給電部を選択した状態で第２の電圧判定部により第２の給電部の出力が無効であると判定され且つ第１の電圧判定部により第１の給電部の出力が有効であると判定された場合には第１の給電部に選択先を切り替える。
【００２０】
本発明の第１０の態様に係る電力供給方法は、電子機器に設けられ、第１の電池からの内部電力を受け付け可能且つ第１の電池の有効な電池電圧よりも高い電圧である外部電力を受け付け可能であり、第１の電池からの内部電力よりも外部電力を優先して出力する第１の給電部と、電子機器に接続自在な接続機器に設けられ、第２の電池からの内部電力を受け付け可能且つ第２の電池の有効な電池電圧よりも高い電圧である外部電力を受け付け可能であり、第２の電池からの内部電力よりも外部電力を優先して出力する第２の給電部と、第１の給電部及び第２の給電部のうち一方を選択して電子機器の使用電力の供給元とする選択部と、第１の給電部の出力の電圧と第１の閾値とを比較して、第１の給電部の出力が有効であるか無効であるかを判定する第１の電圧判定部と、第２の給電部の出力の電圧と第２の閾値とを比較して、第２の給電部の出力が有効であるか無効であるかを判定する第２の電圧判定部とを用いて、電子機器に電力を供給する電力供給方法であって、第１の給電部及び第２の給電部のうち外部電力を受け付けた給電部を優先して選択部に選択させ、外部電力を受け付けた第１の給電部を選択部に選択させ且つ有効な電池電圧を有する第１の電池が無い第１の条件では、第１の閾値を第２の閾値よりも高く設定し、外部電力を受け付けた第２の給電部を選択部に選択させ且つ有効な電池電圧を有する第２の電池が無い第２の条件では、第２の閾値を第１の閾値よりも高く設定し、選択部により第１の給電部が選択された状態で第１の電圧判定部により第１の給電部の出力が無効であると判定され且つ第２の電圧判定部により第２の給電部の出力が有効であると判定された場合には、選択部により第２の給電部に選択先を切り替え、選択部により第２の給電部が選択された状態で第２の電圧判定部により第２の給電部の出力が無効であると判定され且つ第１の電圧判定部により第１の給電部の出力が有効であると判定された場合には、選択部により第１の給電部に選択先を切り替える。
【発明の効果】
【００２１】
本発明によれば、有効な電圧を有する電池が無い機器で外部電力の供給が切断した場合でも異常終了を確実に発生させないようにすることが可能になる。
【図面の簡単な説明】
【００２２】
【図１】図１は、本発明に係る電力供給システムの基本構成例を示すブロック図である。
【図２】図２は、電子機器のみに外部電源が接続された状態を示すブロック図である。
【図３】図３は、接続機器のみに外部電源が接続された状態を示すブロック図である。
【図４】図４は、電子機器及び接続機器の両方に外部電源が非接続である状態を示すブロック図である。
【図５】図５は、閾値設定の説明に用いる説明図である。
【図６】図６は、図１に示した電力供給システムを適用した電子機器システムの一実施例の要部を示すブロック図である。
【図７】図７は、図６に示した電圧判定回路の一例を示す図である。
【図８】図８は、図６に示した選択回路の一例を示す図である。
【図９】図９は、有効な電圧を有する電池が無い機器で外部電力の供給が切断した場合における選択回路への入力電圧の降下例を示す図である。
【図１０】図１０は、デジタルカメラの全体構成例を示すブロック図である。
【図１１】図１１は、本発明に係る電子機器の他の実施例の要部を示すブロックである。
【発明を実施するための形態】
【００２３】
以下、添付図面に従って、本発明に係る電力供給システム、電子機器、及び電力供給方法を実施するための形態について説明する。
【００２４】
図１は、本発明に係る電力供給システムの基本構成例を示すブロック図である。
【００２５】
本例の電力供給システムは、電子機器１０と、電子機器１０に接続自在な接続機器２０と、を含んで構成される。
【００２６】
電子機器１０には第１の給電部１１が設けられており、接続機器２０には第２の給電部２１が設けられている。また電子機器１０には、接続機器２０からの電力が入力される端子である接続機器電力入力端子Ｔ６が設けられている。
【００２７】
電子機器１０に設けられた第１の給電部１１は、電子機器１０内の第１の電池１２からの電力（以下「第１の内部電力」という）を受け付け可能、且つ第１の電池１２の有効な電池電圧よりも高い電圧に対応する外部電源３０からの電力（以下「外部電力」という）を受け付け可能であり、第１の電池１２からの第１の内部電力よりも外部電源３０からの外部電力を優先して出力する。
【００２８】
接続機器２０に設けられた第２の給電部２１は、接続機器２０内の第２の電池２２からの電力（以下「第２の内部電力」という）を受け付け可能、且つ第２の電池２２の有効な電池電圧よりも高い電圧に対応する外部電源３０からの外部電力を受け付け可能であり、第２の電池２２からの第２の内部電力よりも外部電源３０からの外部電力を優先して出力する。
【００２９】
尚、本明細書において、電力を「受け付け可能」とは、電源（本例では第１の電池１２、第２の電池２２、外部電源３０）と有線又は無線により接続されていることをいう。無線接続の場合には、磁界又は電界を用いた送電により、電力が供給される。
【００３０】
本例の電子機器１０は、外部電源３０と第１の外部電力入力端子Ｔ１を介して有線により接続されている。本例の接続機器２０は、外部電源３０と第２の外部電力入力端子Ｔ２を介して有線により接続されている。
【００３１】
本例の電子機器１０は、上述の第１の給電部１１と、上述の第１の電池１２と、第１の給電部１１及び第２の給電部２１のうち一方を電子機器１０の使用電力の供給元として選択する選択部１３と、第１の給電部１１の出力の電圧と第１の閾値とを比較して、第１の給電部１１の出力が有効であるか無効であるかを判定する第１の電圧判定部１４１と、第２の給電部２１の出力の電圧と第２の閾値とを比較して、第２の給電部２１の出力が有効であるか無効であるかを判定する第２の電圧判定部１４２と、第１の給電部１１及び第２の給電部２１のうち外部電力を受け付けた給電部を優先して選択部１３に選択させ、且つ第１の閾値及び第２の閾値を設定する管理部１５と、を含んで構成される。
【００３２】
図１に示したように、電子機器１０の第１の給電部１１及び接続機器２０の第２の給電部２１の両方に外部電源３０が接続されている場合、管理部１５は、第１の給電部１１及び第２の給電部２１のうち予め設定された優先順位が高い給電部を、選択部１３に選択させることができる。
【００３３】
図２及び図３に示すように、電子機器１０の第１の給電部１１及び接続機器２０の第２の給電部２１のうち一方に外部電源３０が接続されている場合、管理部１５は、第１の給電部１１及び第２の給電部２１のうち外部電源３０が接続されている給電部を、選択部１３に選択させることができる。
【００３４】
図４に示すように、電子機器１０の第１の給電部１１及び接続機器２０の第２の給電部２１のいずれにも外部電源３０が非接続である場合、管理部１５は、第１の給電部１１及び第２の給電部２１のうち有効な電池電圧を有する電池（第１の電池１２又は第２の電池２２）が接続されている給電部を、選択部１３に選択させることができる。また、第１の電池１２及び第２の電池２２の両方が有効な電圧を有する場合には、管理部１５は、第１の給電部１１及び第２の給電部２１のうち予め設定された優先順位が高い給電部を、選択部１３に選択させることができる。つまり、予めソフトウエア等で決められた順番に内部電力を消費することが可能である。
【００３５】
本例の管理部１５は、第１の電圧判定部１４１により第１の給電部１１の出力と比較される第１の閾値と、第２の電圧判定部１４２により第２の給電部２１の出力と比較される第２の閾値とを、図５に示すように、設定する。以下、管理部１５の閾値設定について、具体的に説明する。
【００３６】
管理部１５は、第１の給電部１１に接続された外部電源３０が有って、その外部電源３０からの外部電力を受け付けた第１の給電部１１を選択部１３に選択させており、且つ有効な電池電圧を有する第１の電池１２が無い「第１の条件」では、第１の閾値を第２の閾値よりも高く設定する。また管理部１５は、第２の給電部２１に接続された外部電源３０が有って、その外部電源３０からの外部電力を受け付けた第２の給電部２１を選択部１３に選択させており、且つ有効な電池電圧を有する第２の電池２２が無い「第２の条件」では、第２の閾値を第１の閾値よりも高く設定する。
【００３７】
本例の管理部１５は、第１の閾値及び第２の閾値のうち高い方の閾値として、電池１２、２２の有効な電圧よりも高く且つ外部電源３０に対応する電圧よりも低い電圧値を、設定する。また本例の管理部１５は、第１の閾値及び第２の閾値のうち低い方の閾値として、電池１２、２２の有効な電圧以下である電圧値を、設定する。
【００３８】
本例の第１の電圧判定部１４１は、第１の給電部１１の出力電圧が第１の閾値以上である場合には第１の給電部１１の出力が有効であると判定し、第１の給電部１１の出力電圧が第１の閾値未満である場合には第１の給電部１１の出力が無効であると判定する。また本例の第２の電圧判定部１４２は、第２の給電部２１の出力電圧が第２の閾値以上である場合には第２の給電部２１の出力が有効であると判定し、第２の給電部２１の出力電圧が第２の閾値未満である場合には第２の給電部２１の出力が無効であると判定する。
【００３９】
本例の選択部１３は、第１の給電部１１を選択した状態で第１の電圧判定部１４１により第１の給電部１１の出力が無効であると判定され、且つ第２の電圧判定部１４２により第２の給電部２１の出力が有効であると判定された場合には、第１の給電部１１から第２の給電部２１に選択先を切り替える。また選択部１３は、第２の給電部２１を選択した状態で第２の電圧判定部１４２により第２の給電部２１の出力が無効であると判定され、且つ第１の電圧判定部１４１により第１の給電部１１の出力が有効であると判定された場合には、第２の給電部２１から第１の給電部１１に選択先を切り替える。
【００４０】
図１に示した電子機器１０は、次のような構成であるということもできる。本例の電子機器１０は、接続機器２０を接続自在な電子機器１０であって、電子機器１０に設けられた第１の電池１２からの内部電力を受け付け可能且つ第１の電池１２の有効な電池電圧よりも高い電圧に対応する外部電源３０からの外部電力を受け付け可能であり、第１の電池１２からの内部電力よりも外部電力を優先して出力する第１の給電部１１と、接続機器２０からの電力が入力される接続機器電力入力端子Ｔ６と、第１の給電部１１及び接続機器２０のうち一方を電子機器１０の使用電力の供給元として選択する選択部１３と、第１の給電部１１の出力の電圧と閾値とを比較して、第１の給電部１１の出力が有効であるか無効であるかを判定する第１の電圧判定部１４１と、第１の電池１２の有効な電圧以下である電圧値を第１の閾値として設定しておき、外部電力を受け付けた第１の給電部１１を選択部１３に選択させ且つ有効な電池電圧を有する電池が無い条件では、第１の電池１２の有効な電圧よりも高く外部電源３０に対応する電圧よりも低い電圧値を第１の閾値として設定する管理部１５と、を備え、選択部１３は、第１の給電部１１を選択した状態で第１の電圧判定部１４１により第１の給電部１１の出力が無効であると判定された場合には、接続機器２０に選択先を切り替える。
【００４１】
次に、図１に示した電力供給システムの具体的な実施例について、説明する。
【００４２】
図６は、図１に示した電力供給システムを適用した電子機器システムの一実施例の要部を示すブロック図である。本例の電子機器システムは、デジタルカメラ５０（「電子機器」の一形態である）と、デジタルカメラ５０に装着自在であるグリップ６０（「接続機器」の一形態である）と、を含んで構成される。グリップ６０は、デジタルカメラ５０を本体として、特定の機能を有する機能ユニットの一種である。デジタルカメラ５０への「装着」は、「接続」の一形態である。
【００４３】
デジタルカメラ５０には、ＡＣアダプタ７０（「外部電源」の一形態である）からの外部電力が入力される第１の外部電力入力端子Ｔ１が設けられている。デジタルカメラ５０に設けられた第１の給電回路５１（「第１の給電部」の一形態である）は、ケーブル７０Ｃと第１の外部電力入力端子Ｔ１と後述の逆流防止回路５９とを介して、ＡＣアダプタ７０と電気的に接続可能である。
【００４４】
グリップ６０には、ＡＣアダプタ７０からの外部電力が入力される第２の外部電力入力端子Ｔ２が設けられている。グリップ６０に設けられた第２の給電回路６１（「第２の給電部」の一形態である）は、ケーブル７０Ｃと第２の外部電力入力端子Ｔ２と後述の逆流防止回路６９とを介して、ＡＣアダプタ７０と電気的に接続可能である。
【００４５】
尚、図６には第１の給電回路５１及び第２の給電回路６１の両方にＡＣアダプタ７０が接続された場合を示したが、実際には、図６に示した場合以外に、第１の給電回路５１及び第２の給電回路６１の一方のみにＡＣアダプタ７０が接続された場合と、第１の給電回路５１及び第２の給電回路６１の両方に対しＡＣアダプタ７０が非接続である場合とがある。
【００４６】
デジタルカメラ５０に設けられた第１の給電回路５１は、デジタルカメラ５０内の第１の電池１２と電気的に接続されている。第１の給電回路５１は、第１の電池１２及びＡＣアダプタ７０のうち、電圧が高い方の電力を優先して出力する。グリップ６０に設けられた第２の給電回路６１は、グリップ６０内の第２の電池２２と電気的に接続されている。第２の給電回路６１は、第２の電池２２及びＡＣアダプタ７０のうち、電圧が高い方の電力を優先して出力する。第１の給電回路５１及び第２の給電回路６１は、公知の回路を用いることができる。本例の第１の給電回路５１として、ＡＣアダプタ７０からの外部電力により第１の電池１２を充電することができる充給電回路を用いている。また本例の第２の給電回路６１として、ＡＣアダプタ７０からの外部電力により第２の電池２２を充電することができる充給電回路を用いている。
【００４７】
デジタルカメラ５０に設けられた選択回路５３（「選択部」の一形態である）は、第１の給電回路５１及び第２の給電回路６１のうち一方を、デジタルカメラ５０の使用電力の供給元として選択する。本例では、第２の給電回路６１の出力は、第１の通電ゲート６３Ａ及び第１の接続機器電力入力端子Ｔ６Ａを介して、選択回路５３に供給される。
【００４８】
デジタルカメラ５０に設けられた第１の電圧判定回路５４１（「第１の電圧判定部」の一形態である）は、第１の給電回路５１の出力の電圧と、第１の電圧判定回路５４１に設定された第１の閾値とを比較して、第１の給電回路５１の出力が有効であるか無効であるかを判定する。
【００４９】
デジタルカメラ５０に設けられた第２の電圧判定回路５４２（「第２の電圧判定部」の一形態である）は、第２の給電回路６１の出力の電圧と、第２の電圧判定回路５４２に設定された第２の閾値とを比較して、第２の給電回路６１の出力が有効であるか無効であるかを判定する。
【００５０】
デジタルカメラ５０に設けられた本体コントローラ５５（「管理部」の一形態である）は、第１の給電回路５１及び第２の給電回路６１のうちＡＣアダプタ７０からの外部電力を受け付けた給電部を優先して選択回路５３に選択させる。また本体コントローラ５５は、第１の電圧判定回路５４１に対して第１の閾値を設定し、且つ第２の電圧判定回路５４２に対して第２の閾値を設定する。本体コントローラ５５は、例えばＣＰＵ（central processing unit）によって構成される。
【００５１】
本例の本体コントローラ５５は、デジタルカメラ５０に設けられた第１の電池検知回路５７１、第１の給電検知回路５７２、及び第２の給電検知回路５７３の検知結果と、グリップ６０に設けられた第２の電池検知回路６７の検知結果とを取得する。本例の本体コントローラ５５は、取得された検知結果に基づいて、選択回路５３に対する選択の指示と、第１の電圧判定回路５４１及び第２の電圧判定回路５４２に対する閾値（第１の閾値及び第２の閾値）の設定とを行う。
【００５２】
デジタルカメラ５０に設けられた第１の電池検知回路５７１は、デジタルカメラ５０内の第１の電池１２の電圧を、ＡＤ(analog to digital)変換を行って検知する。グリップ６０に設けられた第２の電池検知回路６７は、グリップ６０内の第２の電池２２の電圧を、ＡＤ変換を行って検知する。本例では、グリップコントローラ６５を介して、第２の電池検知回路６７の検知結果が本体コントローラ５５に与えられる。グリップコントローラ６５は、例えばシリアル通信により、本体コントローラ５５に対して検知結果を送信する。グリップコントローラ６５は、例えばＣＰＵ（central processing unit）によって構成される。
【００５３】
デジタルカメラ５０に設けられた第１の給電検知回路５７２は、第１の給電回路５１の出力の電圧を、ＡＤ変換を行って検知する。デジタルカメラ５０に設けられた第２の給電検知回路５７３は、第２の給電回路６１の出力の電圧を、ＡＤ変換を行って検知する。
【００５４】
本体コントローラ５５は、第１の給電回路５１に電気的に接続されたＡＣアダプタ７０が有り、そのＡＣアダプタ７０からの外部電力を受け付けた第１の給電回路５１を選択回路５３に選択させており且つ有効な電池電圧を有する第１の電池１２が無い「第１の条件」では、第１の閾値を第２の閾値よりも高く設定する。また本体コントローラ５５は、第２の給電回路６１に電気的に接続されたＡＣアダプタ７０が有り、そのＡＣアダプタ７０からの外部電力を受け付けた第２の給電回路６１を選択回路５３に選択させており且つ有効な電池電圧を有する第２の電池２２が無い「第２の条件」では、第２の閾値を第１の閾値よりも高く設定する。尚、本例の第１の電池１２及び第２の電池２２は充電池（「二次電池」ともいう）であり、「有効な電池電圧を有する電池が無い」とは、その充電池の電圧が機器で使用する場合の許容電圧（有効な電池電圧）に満たないことをいう。
【００５５】
本例のデジタルカメラ５０には、第１の給電回路５１の出力及び第２の給電回路６１の出力を受け付け、第１の給電回路５１の出力及び第２の給電回路６１の出力の論理和を行って、本体コントローラ５５に電力を供給する電源オア回路５８が設けられている。本例では、第２の給電回路６１の出力は、第２の通電ゲート６３Ｂ及び第２の接続機器電力入力端子Ｔ６Ｂを介して、電源オア回路５８に供給される。
【００５６】
デジタルカメラ５０の第１の外部電力入力端子Ｔ１から第１の給電回路５１に至る経路Ｌ１（以下「第１の外部電力給電経路」という）と、グリップ６０の第２の外部電力入力端子Ｔ２から第２の給電回路６１に至る経路Ｌ２（以下「第２の外部電力給電経路」という）には、それぞれ逆流防止回路５９、６９が設けられている。デジタルカメラ５０に設けられた逆流防止回路５９は、第２の給電回路６１に接続されたＡＣアダプタ７０から第１の給電回路５１に接続されたＡＣアダプタ７０への電流の流入を阻止する。グリップ６０に設けられた逆流防止回路６９は、第１の給電回路５１に接続されたＡＣアダプタ７０から第２の給電回路６１に接続されたＡＣアダプタ７０への電流の流入を阻止する。
【００５７】
図７は、図６に示した第１の電圧判定回路５４１の一例を示す図である。
【００５８】
本例の第１の電圧判定回路５４１は、第１の給電回路５１の電力出力端子Ｔ１３の電圧が入力される判定電圧入力端子Ｔ４１と、本体コントローラ５５の第１の指示出力端子Ｔ５１から第１の閾値候補（以下「高閾値」ともいう）及び第２の閾値候補（以下「低閾値」ともいう）のうちいずれを第１の閾値として用いるかを示す閾値設定指示が入力される指示入力端子Ｔ４２と、基準電圧が入力される基準電圧入力端子Ｔ４３と、第１の給電回路５１の出力電圧（電力出力端子Ｔ１３の電圧）と第１の閾値との比較結果（以下「第１の電圧判定結果」という）を選択回路５３に対して出力する判定結果出力端子Ｔ４４と、第１の閾値候補及び第２の閾値候補を保持するレジスタ素子５４Ｒと、指示入力端子Ｔ４２に入力された閾値設定指示に応じて第１の閾値を切り替えるスイッチ素子５４Ｓと、判定電圧入力端子Ｔ４１に入力された電圧と第１の閾値とを比較するコンパレータ５４Ｃと、を含んで構成される。基準電圧入力端子Ｔ４３には、例えば電源オア回路５８から基準電圧が入力される。
【００５９】
尚、図６に示した第２の電圧判定回路５４２を、図７では省略したが、第１の電圧判定回路５４１と同様な構成とすることができる。つまり、本例の第２の電圧判定回路５４２は、第２の給電回路６１の電力出力端子の電圧が入力される判定電圧入力端子Ｔ４１と、本体コントローラ５５の第２の指示出力端子Ｔ５２から第１の閾値候補（高閾値）及び第２の閾値候補(低閾値)のうちいずれを第２の閾値として用いるかを示す閾値設定指示が入力される指示入力端子Ｔ４２と、基準電圧が入力される基準電圧入力端子Ｔ４３と、第２の給電回路６１の出力電圧と第２の閾値との比較結果（以下「第２の電圧判定結果」という）を選択回路５３に対して出力する判定結果出力端子Ｔ４４と、第１の閾値候補及び第２の閾値候補を保持するレジスタ素子５４Ｒと、指示入力端子Ｔ４２に入力された閾値設定指示に応じて第２の閾値を切り替えるスイッチ素子５４Ｓと、判定電圧入力端子Ｔ４１に入力された電圧と第２の閾値とを比較するコンパレータ５４Ｃとを含む、ということができる。以下では、第１の電圧判定回路５４１及び第２の電圧判定回路５４２を総称して、「電圧判定回路５４」ということもある。
【００６０】
図７には、判定電圧入力端子Ｔ４１に入力された第１の給電回路５１の出力電圧相当の電圧値とレジスタ素子５４Ｒに保持された閾値相当の電圧値とを、直接的に比較する構成を示したが、このような場合に本発明は限定されない。電圧判定部（電圧判定回路５４１、５４２）の全体で第１の給電回路５１の出力電圧と閾値とを比較すればよい。例えば、判定電圧入力端子Ｔ４１とコンパレータ５４Ｃとの間に、レジスタ素子５４Ｒ及びスイッチ素子５４Ｓを設け、判定電圧入力端子Ｔ４１に入力された第１の給電回路５１の出力電圧相当の電圧値に、閾値に対応する係数を掛けた後、基準電圧入力端子Ｔ４３に入力された基準電圧と比較する構成としてもよい。つまり、第１の給電回路５１の出力電圧相当の電圧値と閾値相当の電圧値とを、相対的に比較する回路を用いてよい。
【００６１】
上述の第１の電圧判定回路５４１は、第１の給電回路５１の出力電圧と第１の閾値とをアナログで比較する構成である。同様に、上述の第２の電圧判定回路５４２は、第２の給電回路６１の出力電圧と第２の閾値とをアナログで比較する構成である。つまり、本例の本体コントローラ５５は、電圧判定回路５４（５４１、５４２）に対して第１の閾値候補及び第２の閾値候補のいずれを選択するのかを指示するだけであり、電圧判定は電圧判定回路５４で瞬時に（例えば数マイクロ秒で）行われる。
【００６２】
図８は、図６に示した選択回路５３の一例を示す図である。
【００６３】
本例の選択回路５３は、第１の給電回路５１の出力が入力される第１の選択電力入力端子Ｔ３１と、第２の給電回路６１の出力が入力される第２の選択電力入力端子Ｔ３２と、第１の電圧判定回路５４１の第１の電圧判定結果が入力される第１の判定結果入力端子Ｔ３３と、第２の電圧判定回路５４２の第２の電圧判定結果が入力される第２の判定結果入力端子Ｔ３４と、本体コントローラ５６からの指示が入力される指示入力端子Ｔ３５と、第１の給電回路５１及び第２の給電回路６１のうち選択した給電回路からの電力を出力する選択電力出力端子Ｔ３と、第１の選択電力入力端子Ｔ３１に入力される第１の給電回路５１の出力を選択するか否かを切り替える第１のスイッチ素子５３１と、第２の選択電力入力端子Ｔ３２に入力される第２の給電回路６１の出力を選択するか否かを切り替える第２のスイッチ素子５３２と、第１の判定結果入力端子Ｔ３３に入力される第１の電圧判定結果及び第２の判定結果入力端子Ｔ３４に入力される第２の電圧判定結果に基づいて、第１のスイッチ素子５３１及び第２のスイッチ素子５３２に切替指示を出力する切替ＩＣ(integrated circuit)５３３と、を含んで構成される。本例では、選択回路５３の選択電力出力端子Ｔ３に、コンデンサ５０Ｃ（キャパシタ）と、デジタルカメラ５０の各部に対して選択された給電回路の電力を供給するための選択電力供給端子Ｔ４とが接続されている。
【００６４】
本例の本体コントローラ５５は、図５に示した第１の条件では、第１の電圧判定回路５４１に対し、第２の電圧判定回路５４２で用いる第２の閾値よりも高い第１の閾値を設定する。具体的には、第１の閾値として、第１の電池１２の有効な電圧よりも高く且つＡＣアダプタ７０の電圧よりも低い電圧値（高閾値）を設定する。好ましくは、第１の閾値として、第１の電池１２の最大電圧よりも高い電圧値を設定する。また、第２の閾値として、第２の電池２２の有効な電圧以下である電圧値（低閾値）を設定する。例えば、第２の閾値として、第２の電池２２の終止電圧値を設定する。
【００６５】
また本例の本体コントローラ５５は、図５に示した第２の条件では、第２の電圧判定回路５４２に対し、第１の電圧判定回路５４１で用いる第１の閾値よりも高い第２の閾値を設定する。具体的には、第２の閾値として、第２の電池２２の有効な電圧よりも高く且つＡＣアダプタ７０の電圧よりも低い電圧値（高閾値）を設定する。好ましくは、第２の閾値として、第２の電池２２の最大電圧よりも高い電圧値を設定する。また、第１の閾値として、第１の電池１２の有効な電圧以下である電圧値（低閾値）を設定する。例えば、第１の閾値として、第１の電池１２の終止電圧値を設定する。
【００６６】
本例では、第１の電池１２の有効な電圧と第２の電池２２の有効な電圧とが等しいが、第１の電池１２の有効な電圧と第２の電池２２の有効な電圧とが異なる場合にも、本発明を適用可能である。ＡＣアダプタ７０の電圧は、第１の電池１２の有効な電圧及び第２の電池２２の有効な電圧よりも高い。
【００６７】
本例では電圧判定回路５４（第１の電圧判定回路５４１及び第２の電圧判定回路５４２）のレジスタ素子５４Ｒにより、上述の高閾値及び低閾値が閾値候補として保持されている。本体コントローラ５５の指示出力端子（第１の指示出力端子Ｔ５１及び第２の指示出力端子Ｔ５２）から、複数の閾値候補のうちいずれを実際の閾値（第１の閾値及び第２の閾値）として選択するかを指示すると、その指示に従って電圧判定回路５４のスイッチ素子５４Ｓにより複数の閾値候補から実際の閾値が選択され、電圧判定回路５４のコンパレータ５４Ｃにより、選択された閾値に基づいて電圧判定が行われる。選択回路５３の切替ＩＣ５３３は、電圧判定回路５４（５４１、５４２）の電圧判定結果が変化した場合、その電圧判定結果の変化に応じて、選択回路５３のスイッチ素子５３１、５３２デジタルカメラ５０（電子機器）の使用電力の供給元を切り替えさせる。つまり、ＡＣアダプタ７０のケーブル７０Ｃが抜去された場合、本体コントローラ５５からの指示を待つことなく、選択回路５３により瞬時に（例えば数マイクロ秒で）使用電力の供給元の切り替えを完了することができる。
【００６８】
外部電力の供給切断に伴う電圧降下と切り替えタイミングとの関係について、図９を用いて説明する。ＡＣアダプタ７０のケーブル７０Ｃがデジタルカメラ５０の第１の外部電力入力端子Ｔ１から抜去されたとする。デジタルカメラ５０内の第１の電池１２が有効な電圧を有していない場合、図９に示すように、選択回路５３の第１の選択電力入力端子Ｔ３１の入力電圧Ｖｉｎ（本例では第１の給電回路５１の電力出力端子Ｔ１３の電圧に等しい）は、ＡＣアダプタ７０の電圧ＶＥから、時間ｔの経過とともに降下してゆく。従来はＡＣアダプタ７０のケーブル７０Ｃが抜去されてから切り替えを完了するまでに時間がかかり、機器が異常終了してしまう可能性があった。本例では、高く設定された第１の閾値と入力電圧Ｖｉｎとが比較され、且つその比較の結果（電圧判定結果）に応じて本体コントローラ５５の指示を待つことなく使用電力の供給元を切り替えることができるので、ＡＣアダプタ７０のケーブル７０Ｃが抜去されてもデジタルカメラ５０を確実に異常終了させないことが可能である。例えば、図９に示す時刻ｔＣ（ケーブル７０Ｃの抜去時刻ｔＥと入力電圧Ｖｉｎが第１の電池１２の終止電圧ＶＦに低下した時刻ｔＦまでの間である）に使用電力の供給元の切り替えが完了したとする。つまり、図９において入力電圧Ｖｉｎが電圧ＶＣに降下した時に切り替えが完了する。そうすると、グリップ６０内の第２の電池２２が有効な電圧を有していれば、選択回路５３の出力電圧（選択電力出力端子Ｔ３及び選択電力供給端子Ｔ４の電圧である）を終止電圧ＶＦ未満に低下させない。言い換えると、第２の閾値が終止電圧ＶＦである場合、入力電圧Ｖｉｎが第２の閾値に低下するまでに切り替えを完了できる。入力電圧Ｖｉｎが第２の電池２２を使用する際の目標電圧Ｖ２（例えば終止電圧ＶＦよりも高い電圧値である）に低下するまでに、切り替えを完了させることも可能である。
【００６９】
本例の選択回路５３は、第１の給電回路５１に接続されたＡＣアダプタ７０のケーブル７０Ｃが抜去され、第１の給電回路５１から第２の給電回路６１に選択先を切り替える際に、第１の給電回路５１の出力の電圧が第２の閾値に低下するまでに、第２の給電回路６１への切り替えを完了するともいえる。また、本例の選択回路５３は、第２の給電回路６１に接続されたＡＣアダプタ７０のケーブル７０Ｃが抜去され、第２の給電回路６１から第１の給電回路５１に選択先を切り替える際に、第２の給電回路６１の出力の電圧が第１の閾値に低下するまでに、第１の給電回路５１への切り替えを完了するともいえる。
【００７０】
以上のように、デジタルカメラ５０（電子機器）内の第１の電池１２の電池電圧が有効でない状態でデジタルカメラ５０側の外部電力が切断されても、デジタルカメラ５０の異常終了は発生しない。グリップ６０（接続機器）内の第２の電池２２の電池電圧が有効でない状態でグリップ６０側の外部電力が切断された場合も、同様にデジタルカメラ５０の異常終了は発生しない。
【００７１】
図６には、デジタルカメラ５０の電力供給機能に関する要素を示したが、図１０（デジタルカメラ５０の全体構成例を示すブロック図）に例示するように、デジタルカメラ５０は電力供給以外の機能を持つ要素を備える。
【００７２】
図１０に示すデジタルカメラ５０は、被写体を撮像する撮像部８１と、ユーザの指示入力を受け付ける操作部８２と、ユーザに対して画像を含む各種情報を表示する表示部８３と、画像を外部に出力する画像出力部８４と、デジタルカメラ５０の必要な各部に電力を供給する電力供給部８５と、一時的記憶デバイス及び非一時的記憶デバイスを有する記憶部８６と、記憶部８６の非一時的記憶デバイスに記憶されたプログラムに従ってデジタルカメラ５０の各部を制御するＣＰＵ（central processing unit）８８と、を備える。本例の電力供給部８５は、図６に示した第１の給電回路５１と選択回路５３と電圧判定回路５４（５４１、５４２）と電源オア回路５８と逆流防止回路５９とを含んで構成される。図６の本体コントローラ５５は、電力供給部８５に含めてもよいし、ＣＰＵ８８によって構成してもよい。
【００７３】
＜外部電力のバリエーション＞
外部電力のバリエーションについて、説明する。
【００７４】
図６には、機器外のＡＣアダプタ７０から外部電力が供給される場合を例として示したが、このような場合に本発明は限定されない。本発明は、各種の外部電力を用いる場合に、適用することができる。
【００７５】
第１に、本発明は、機器外にＡＣアダプタを設けた場合に限定されず、機器内にＡＣアダプタを設けた場合にも、適用可能である。この場合、ＡＣ電源（交流電源）が外部電源に相当する。機器内の第１の給電部及び接続機器内の第２の給電部のうちの少なくとも一方を、機器内のＡＣアダプタを介して機器外のＡＣ電源と有線接続した構成であってもよい。機器内にＡＣアダプタを設けた場合、そのＡＣアダプタの出力電圧が「電池の有効な電池電圧よりも高い電圧」であればよい。
【００７６】
第２に、本発明は、機器が外部電源と有線接続された場合に限定されず、機器が外部電源と無線接続された場合にも、適用可能である。この場合、磁界又は電界を介した送電により、機器内の給電部（第１の給電部及び第２の給電部）に外部電力が供給される構成とすることができる。
【００７７】
第３に、本発明は、外部電源が非電池電源である場合に限定されず、外部電源がいわゆる「電池」と呼ばれる場合にも、適用可能である。この場合、「第１の電池」及び「第２の電池」は機器内の電池（内蔵電池）であり、「外部電源」は機器外の電池である。例えば、機器が車載可能である場合、機器外の車載電池を外部電源として用いてよい。例えば機器が屋内で使用される場合、屋外の太陽電池を外部電源として用いてよい。
【００７８】
＜機器のバリエーション＞
電子機器及び接続機器のバリエーションについて、説明する。
【００７９】
図１及び図６には、電子機器及び接続機器のいずれも、内蔵電池からの内部電力と外部電源からの外部電力とを受け付け可能である場合を示したが、図１１に示すように、電子機器１００のみが内部電力及び外部電力を受け付け可能であり、接続機器２００は内部電力のみ受付可能であってもよい。尚、図１１において、図１に記載した構成要素には同じ符号を付してあり、説明済みの内容を省略することがある。
【００８０】
本例の電子機器１００は、接続機器２００を接続自在である。
【００８１】
電子機器１００に設けられた第１の給電部１１は、第１の電池１２からの内部電力を受け付け可能且つ第１の電池１２の有効な電池電圧よりも高い電圧を有する外部電源３０からの外部電力を受け付け可能であり、第１の電池１２からの内部電力よりも外部電力を優先して出力する。接続機器電力入力端子Ｔ６は、接続機器２００からの電力が入力される。
【００８２】
選択部１３は、第１の給電部１１及び接続機器２００のうち一方を電子機器１００の使用電力の供給元として選択する。
【００８３】
第１の電圧判定部１４１は、第１の給電部１１の出力の電圧と閾値とを比較して、第１の給電部１１の出力が有効であるか無効であるかを判定する。第２の電圧判定部１４２は、接続機器２００の出力が有効であるか無効であるかを判定する。
【００８４】
管理部１５は、第１の電池１２の有効な電圧以下である電圧値を閾値として第１の電圧判定部１４１に設定しておき、外部電力を受け付けた第１の給電部１１を選択部１３に選択させており且つ有効な電池電圧を有する第１の電池１２が無い条件では、第１の電池１２の有効な電圧よりも高く外部電源の電圧よりも低い電圧値を閾値として設定する。選択部１３は、第１の給電部１１を選択した状態で第１の電圧判定部１４１により第１の給電部１１の出力が無効であると判定された場合には、接続機器２００に選択先を切り替える。
【００８５】
また、図６には、電子機器に接続機器が装着可能である場合を例として示したが、このような場合に本発明は限定されない。本発明は、電子機器と接続機器とをケーブルで有線接続した場合、及び電子機器と接続機器とを無線接続した場合にも、適用することができる。
【００８６】
また、図６には、電子機器と接続機器の組み合わせとして、デジタルカメラ（カメラ本体）及びグリップを紹介したが、このような場合に本発明は限定されない。本発明は、各種の複数機器の組み合わせに、適用することができる。
【００８７】
以上、本発明を実施するための形態に関して説明してきたが、本発明は上述した実施形態及び変形例に限定されず、本発明の主旨を逸脱しない範囲で種々の変形が可能である。
【符号の説明】
【００８８】
１０、１００  電子機器
１１  第１の給電部
１２  第１の電池
１３  選択部
１５  管理部
２０、２００  接続機器
２１  第２の給電部
２２  第２の電池
３０  外部電源
５０  デジタルカメラ
５０Ｃ  コンデンサ
５１  第１の給電回路
５３  選択回路
５４  電圧判定回路
５４Ｃ  コンパレータ
５４Ｒ  レジスタ素子
５４Ｓ  スイッチ素子
５５  本体コントローラ
５８  電源オア回路
５９  逆流防止回路
６０  グリップ
６１  第２の給電回路
６３Ａ  第１の通電ゲート
６３Ｂ  第２の通電ゲート
６５  グリップコントローラ
６７  第２の電池検知回路
６９  逆流防止回路
７０  ＡＣアダプタ
７０Ｃ  ケーブル
８１  撮像部
８２  操作部
８３  表示部
８４  画像出力部
８５  電力供給部
８６  記憶部
８８  ＣＰＵ
１４１  第１の電圧判定部
１４２  第２の電圧判定部
５３１  第１のスイッチ素子
５３２  第２のスイッチ素子
５３３  切替ＩＣ
５４１  第１の電圧判定回路
５４２  第２の電圧判定回路
５７１  第１の電池検知回路
５７２  第１の給電検知回路
５７３  第２の給電検知回路
Ｌ１、Ｌ２  外部電力給電経路
Ｔ１、Ｔ２  外部電力入力端子
Ｔ３  選択電力出力端子
Ｔ４  選択電力供給端子
Ｔ１３  電力出力端子
Ｔ３１、Ｔ３２  選択電力入力端子
Ｔ３３、Ｔ３４  判定結果入力端子
Ｔ３５  指示入力端子
Ｔ４１  判定電圧入力端子
Ｔ４２  指示入力端子
Ｔ４３  基準電圧入力端子
Ｔ４４  判定結果出力端子
Ｔ５１、Ｔ５２  指示出力端子
Ｔ６、Ｔ６Ａ、Ｔ６Ｂ  接続機器電力入力端子
【図１】
2019180237.tif 000003
【図２】
2019180237.tif 000004
【図３】
2019180237.tif 000005
【図４】
2019180237.tif 000006
【図５】
2019180237.tif 000007
【図６】
2019180237.tif 000008
【図７】
2019180237.tif 000009
【図８】
2019180237.tif 000010
【図９】
2019180237.tif 000011
【図１０】
2019180237.tif 000012
【図１１】
2019180237.tif 000013
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
接続機器を接続自在な電子機器であって、
前記電子機器内の第１電池からの内部電力を受け付け可能且つ前記第１電池の有効な電池電圧よりも高い電圧である外部電源からの外部電力を受け付け可能であり、前記内部電力よりも前記外部電力を優先して出力する第１給電部と、
前記第１給電部及び前記接続機器に設けられ前記接続機器から前記電子機器に給電する第２給電部のうち一方を前記電子機器の使用電力の供給元として選択する選択部と、
前記第１給電部の出力の電圧と第１閾値とを比較して、前記第１給電部の出力が有効であるか無効であるかを判定する第１電圧判定部と、
前記第２給電部の出力の電圧と第２閾値とを比較して、前記第２給電部の出力が有効であるか無効であるかを判定する第２電圧判定部と、
前記外部電力を受け付けた前記第１給電部を前記選択部に選択させ且つ前記有効な電池電圧を有する前記第１電池が無い第１条件では、前記第１閾値を前記第２閾値よりも高く設定する管理部と、を備え、
前記選択部は、前記第１給電部を選択した状態で前記第１電圧判定部により前記第１給電部の出力が無効であると判定され且つ前記第２電圧判定部により前記第２給電部の出力が有効であると判定された場合には前記第２給電部に選択先を切り替える、電子機器。
【請求項２】
前記選択部は、前記第１条件で前記第１給電部から前記第２給電部に選択先を切り替える際に、前記第１給電部の出力の電圧が前記第２閾値に低下するまでに前記第２給電部への切り替えを完了する、請求項１に記載の電子機器。
【請求項３】
前記管理部は、前記第１閾値及び前記第２閾値のうち高い方の閾値として、前記第１電池の有効な電圧よりも高く前記外部電源に対応する電圧よりも低い電圧値を設定する、請求項１または２に記載の電子機器。
【請求項４】
前記管理部は、前記第１閾値及び前記第２閾値のうち低い方の閾値として、前記第１電池の有効な電圧以下である電圧値を設定する、請求項３に記載の電子機器。
【請求項５】
前記第１電圧判定部は、前記第１給電部の出力の電圧と前記第１閾値とをアナログで比較し、前記第２電圧判定部は、前記第２給電部の出力の電圧と前記第２閾値とをアナログで比較する、請求項１から４のうちいずれか一項に記載の電子機器。
【請求項６】
前記第１給電部に接続された外部電源への電流の流入を阻止する逆流防止回路を備える、請求項１から５のうちいずれか一項に記載の電子機器。
【請求項７】
前記第１給電部の出力及び前記第２給電部の出力を受け付け、前記管理部に電力を供給する電源オア回路を備える、請求項１から６のうちいずれか一項に記載の電子機器。
【請求項８】
接続機器を接続自在な電子機器であって、
前記電子機器に設けられた電池からの内部電力を受け付け可能且つ前記電池の有効な電池電圧よりも高い電圧に対応する外部電源からの外部電力を受け付け可能であり、前記電池からの内部電力よりも前記外部電力を優先して出力する給電部と、
前記接続機器からの電力が入力される接続機器電力入力端子と、
前記給電部及び前記接続機器のうち一方を前記電子機器の使用電力の供給元として選択する選択部と、
前記給電部の出力の電圧と閾値とを比較して、前記給電部の出力が有効であるか無効であるかを判定する電圧判定部と、
前記電池の有効な電圧以下である電圧値を前記閾値として設定しておき、前記外部電力を受け付けた前記給電部を前記選択部に選択させ且つ前記有効な電池電圧を有する前記電池が無い条件では、前記電池の有効な電圧よりも高く前記外部電源に対応する電圧よりも低い電圧値を前記閾値として設定する管理部と、
を備え、
前記選択部は、前記給電部を選択した状態で前記電圧判定部により前記給電部の出力が無効であると判定された場合には、前記接続機器に選択先を切り替える、電子機器。
【請求項９】
接続機器を接続自在な電子機器であって、
第１電池からの内部電力を受け付け可能且つ前記第１電池の有効な電池電圧よりも高い電圧である外部電力を受け付け可能であり、
前記第１電池からの内部電力よりも前記外部電力を優先して出力する第１給電部と、
前記接続機器に設けられた第２給電部であって第２電池からの内部電力を受け付け可能且つ前記第２電池の有効な電池電圧よりも高い電圧である前記外部電力を受け付け可能であり、前記第２電池からの内部電力よりも前記外部電力を優先して出力する前記第２給電部と電気的に接続された接続機器電力入力端子と、
前記第１給電部及び前記第２給電部のうち一方を選択して前記電子機器の使用電力の供給元とする選択部と、
前記第１給電部の出力の電圧と第１閾値とを比較して、前記第１給電部の出力が有効であるか無効であるかを判定する第１電圧判定部と、
前記第２給電部の出力の電圧と第２閾値とを比較して、前記第２給電部の出力が有効であるか無効であるかを判定する第２電圧判定部と、
前記第１給電部及び前記第２給電部のうち前記外部電力を受け付けた給電部を優先して前記選択部に選択させ且つ前記第１閾値及び前記第２閾値を設定する管理部であり、前記外部電力を受け付けた前記第１給電部を前記選択部に選択させ且つ前記有効な電池電圧を有する前記第１電池が無い第１条件では、前記第１閾値を前記第２閾値よりも高く設定し、前記外部電力を受け付けた前記第２給電部を前記選択部に選択させ且つ前記有効な電池電圧を有する前記第２電池が無い第２条件では、前記第２閾値を前記第１閾値よりも高く設定する前記管理部と、
を備え、
前記選択部は、前記第１給電部を選択した状態で前記第１電圧判定部により前記第１給電部の出力が無効であると判定され且つ前記第２電圧判定部により前記第２給電部の出力が有効であると判定された場合には前記第２給電部に選択先を切り替え、前記第２給電部を選択した状態で前記第２電圧判定部により前記第２給電部の出力が無効であると判定され且つ前記第１電圧判定部により前記第１給電部の出力が有効であると判定された場合には前記第１給電部に選択先を切り替える、電子機器。
【請求項１０】
前記選択部は、前記第１条件で前記第１給電部から前記第２給電部に選択先を切り替える際に、前記第１給電部の出力の電圧が前記第２閾値に低下するまでに前記第２給電部への切り替えを完了し、前記第２条件で前記第２給電部から前記第１給電部に選択先を切り替える際に、前記第２給電部の出力の電圧が前記第１閾値に低下するまでに前記第１給電部への切り替えを完了する、請求項９に記載の電子機器。
【請求項１１】
前記管理部は、前記第１閾値及び前記第２閾値のうち高い方の閾値として、前記第１電池及び前記第２電池の有効な電圧よりも高く前記外部電力に対応する電圧よりも低い電圧値を設定する、請求項９または１０に記載の電子機器。
【請求項１２】
前記管理部は、前記第１閾値及び前記第２閾値のうち低い方の閾値として、前記第１電池及び前記第２電池の有効な電圧以下である電圧値を設定する、請求項１１に記載の電子機器。
【請求項１３】
前記第１電圧判定部は、前記第１給電部の出力の電圧と前記第１閾値とをアナログで比較し、
前記第２電圧判定部は、前記第２給電部の出力の電圧と前記第２閾値とをアナログで比較する、
請求項９から１２のうちいずれか一項に記載の電子機器。
【請求項１４】
前記第１給電部に接続された外部電源及び前記第２給電部に接続された外部電源のうち一方の外部電源から他方の外部電源への電流の流入を阻止する逆流防止回路を備える、
請求項９から１３のうちいずれか一項に記載の電子機器。
【請求項１５】
前記第１給電部の出力及び前記第２給電部の出力を受け付け、前記管理部に電力を供給する電源オア回路を備える、
請求項９から１４のうちいずれか一項に記載の電子機器。
【請求項１６】
前記接続機器はバッテリーグリップである請求項１から１５のうちいずれか一項に記載の電子機器であるカメラ。
【請求項１７】
電子機器と前記電子機器に接続自在な接続機器とを含む電力供給システムであって、
前記電子機器に設けられ、前記電子機器内の第１電池からの内部電力を受け付け可能且つ前記第１電池の有効な電池電圧よりも高い電圧に対応する外部電源からの外部電力を受け付け可能であり、前記第１電池からの内部電力よりも前記外部電力を優先して出力する第１給電部と、
前記接続機器に設けられ、前記接続機器内の第２電池からの内部電力を受け付け可能且つ前記第２電池の有効な電池電圧よりも高い電圧に対応する前記外部電源からの外部電力を受け付け可能であり、前記第２電池からの内部電力よりも前記外部電力を優先して出力する第２給電部と、
前記第１給電部及び前記第２給電部のうち一方を前記電子機器の使用電力の供給元として選択する選択部と、
前記第１給電部の出力の電圧と第１閾値とを比較して、前記第１給電部の出力が有効であるか無効であるかを判定する第１電圧判定部と、
前記第２給電部の出力の電圧と第２閾値とを比較して、前記第２給電部の出力が有効であるか無効であるかを判定する第２電圧判定部と、
前記第１給電部及び前記第２給電部のうち前記外部電力を受け付けた給電部を優先して前記選択部に選択させ且つ前記第１閾値及び前記第２閾値を設定する管理部であり、前記外部電力を受け付けた前記第１給電部を前記選択部に選択させ且つ前記有効な電池電圧を有する前記第１電池が無い第１条件では、前記第１閾値を前記第２閾値よりも高く設定し、前記外部電力を受け付けた前記第２給電部を前記選択部に選択させ且つ前記有効な電池電圧を有する前記第２電池が無い第２条件では、前記第２閾値を前記第１閾値よりも高く設定する前記管理部と、を備え、
前記選択部は、前記第１給電部を選択した状態で前記第１電圧判定部により前記第１給電部の出力が無効であると判定され且つ前記第２電圧判定部により前記第２給電部の出力が有効であると判定された場合には前記第２給電部に選択先を切り替え、前記第２給電部を選択した状態で前記第２電圧判定部により前記第２給電部の出力が無効であると判定され且つ前記第１電圧判定部により前記第１給電部の出力が有効であると判定された場合には前記第１給電部に選択先を切り替える、電力供給システム。
【請求項１８】
前記選択部は、前記第１条件で前記第１給電部から前記第２給電部に選択先を切り替える際に、前記第１給電部の出力の電圧が前記第２閾値に低下するまでに前記第２給電部への切り替えを完了し、前記第２条件で前記第２給電部から前記第１給電部に選択先を切り替える際に、前記第２給電部の出力の電圧が前記第１閾値に低下するまでに前記第１給電部への切り替えを完了する、
請求項１７に記載の電力供給システム。
【請求項１９】
前記管理部は、前記第１閾値及び前記第２閾値のうち高い方の閾値として、前記第１電池及び前記第２電池の有効な電圧よりも高く前記外部電源に対応する電圧よりも低い電圧値を設定する、
請求項１７または１８に記載の電力供給システム。
【請求項２０】
前記管理部は、前記第１閾値及び前記第２閾値のうち低い方の閾値として、前記第１電池及び前記第２電池の有効な電圧以下である電圧値を設定する、
請求項１９に記載の電力供給システム。
【請求項２１】
前記第１電圧判定部は、前記第１給電部の出力の電圧と前記第１閾値とをアナログで比較し、
前記第２電圧判定部は、前記第２給電部の出力の電圧と前記第２閾値とをアナログで比較する、
請求項１７から２０のうちいずれか一項に記載の電力供給システム。
【請求項２２】
前記第１給電部に接続された外部電源及び前記第２給電部に接続された外部電源のうち一方の外部電源から他方の外部電源への電流の流入を阻止する逆流防止回路を備える、
請求項１７から２１のうちいずれか一項に記載の電力供給システム。
【請求項２３】
前記第１給電部の出力及び前記第２給電部の出力を受け付け、前記管理部に電力を供給する電源オア回路を備える、
請求項１７から２２のうちいずれか一項に記載の電力供給システム。
【請求項２４】
電子機器に設けられ、第１電池からの内部電力を受け付け可能且つ前記第１電池の有効な電池電圧よりも高い電圧である外部電力を受け付け可能であり、前記第１電池からの内部電力よりも前記外部電力を優先して出力する第１給電部と、前記電子機器に接続自在な接続機器に設けられ、第２電池からの内部電力を受け付け可能且つ前記第２電池の有効な電池電圧よりも高い電圧である前記外部電力を受け付け可能であり、前記第２電池からの内部電力よりも前記外部電力を優先して出力する第２給電部と、前記第１給電部及び前記第２給電部のうち一方を選択して前記電子機器の使用電力の供給元とする選択部と、前記第１給電部の出力の電圧と第１閾値とを比較して、前記第１給電部の出力が有効であるか無効であるかを判定する第１電圧判定部と、前記第２給電部の出力の電圧と第２閾値とを比較して、前記第２給電部の出力が有効であるか無効であるかを判定する第２電圧判定部とを用いて、前記電子機器に電力を供給する電力供給方法であって、
前記第１給電部及び前記第２給電部のうち前記外部電力を受け付けた給電部を優先して前記選択部に選択させ、
前記外部電力を受け付けた前記第１給電部を前記選択部に選択させ且つ前記有効な電池電圧を有する前記第１電池が無い第１条件では、前記第１閾値を前記第２閾値よりも高く設定し、
前記外部電力を受け付けた前記第２給電部を前記選択部に選択させ且つ前記有効な電池電圧を有する前記第２電池が無い第２条件では、前記第２閾値を前記第１閾値よりも高く設定し、
前記選択部により前記第１給電部が選択された状態で前記第１電圧判定部により前記第１給電部の出力が無効であると判定され且つ前記第２電圧判定部により前記第２給電部の出力が有効であると判定された場合には、前記選択部により前記第２給電部に選択先を切り替え、
前記選択部により前記第２給電部が選択された状態で前記第２電圧判定部により前記第２給電部の出力が無効であると判定され且つ前記第１電圧判定部により前記第１給電部の出力が有効であると判定された場合には、前記選択部により前記第１給電部に選択先を切り替える、電力供給方法。
【手続補正３】
【補正対象書類名】明細書
【補正対象項目名】０００１
【補正方法】変更
【補正の内容】
【０００１】
本発明は、有効な電圧を有する電池が無い機器で外部電力の供給が切断した場合でも異常終了を確実に発生させないようにすることが可能になる電子機器、カメラ、電力供給システム、及び電力供給方法に関する。
【手続補正４】
【補正対象書類名】明細書
【補正対象項目名】０００９
【補正方法】変更
【補正の内容】
【０００９】
本発明はこのような事情に鑑みてなされたもので、有効な電圧を有する電池が無い機器で外部電力の供給が切断した場合でも異常終了を確実に発生させないようにすることが可能になる電子機器、カメラ、電力供給システム、及び電力供給方法を提供することを目的とする。
【手続補正５】
【補正対象書類名】明細書
【補正対象項目名】００２３
【補正方法】変更
【補正の内容】
【００２３】
以下、添付図面に従って、本発明に係る電子機器、カメラ、電力供給システム、及び電力供給方法を実施するための形態について説明する。